(57)【要約】【課題】内視鏡内に配管された可撓性チューブを、狭いスペースの中でも接続管に対して容易かつ確実に接続固定することができる内視鏡の配管接続部を提供すること。【解決手段】接続管１７の外周テーパ面１７１の基部付近に突起１７２を形成し、可撓性チューブ１１〜１６と接続管１７との接続部に可撓性チューブ１１〜１６側から被嵌されるチューブ押さえ環１８の先端側半部に、先端に達する複数のスリット１８３を軸線と平行方向に形成すると共に、チューブ押さえ環１８の先端部分の内周部に、チューブ押さえ環１８の先端側半部を弾性変形させることにより接続管１７の突起１７２を乗り越えて突起１７２の裏面部に当接する小径部１８２を形成した。【選択図】      図１
2006006761.tif 000002
【特許請求の範囲】
【請求項１】
内視鏡内に配管された可撓性チューブの端部と金属製の接続管とを接続するための内視鏡の配管接続部であって、上記接続管の先端部分の外周面に先側へ次第に外径寸法が小さくなる外周テーパ面が形成され、その外周テーパ面に上記可撓性チューブの端部を被嵌して外側から押圧固定するためのチューブ押さえ環が上記接続管に係止された構造の内視鏡の配管接続部において、
上記接続管の外周テーパ面の基部付近に突起を形成し、上記可撓性チューブと上記接続管との接続部に上記可撓性チューブ側から被嵌される上記チューブ押さえ環の先端側半部に、先端に達する複数のスリットを軸線と平行方向に形成すると共に、上記チューブ押さえ環の先端部分の内周部に、上記チューブ押さえ環の先端側半部を弾性変形させることにより上記接続管の突起を乗り越えて上記突起の裏面部に当接する小径部を形成したことを特徴とする内視鏡の配管接続部。
【請求項２】
上記接続管に形成された突起の高さ寸法が、上記可撓性チューブの肉厚寸法より大きくて上記可撓性チューブの肉厚寸法の２倍以下の寸法である請求項１記載の内視鏡の配管接続部。
【請求項３】
上記突起が上記接続管の外周面の全周に連続的に形成されている請求項１又は２記載の内視鏡の配管接続部。
【請求項４】
上記複数のスリットが、等間隔に少なくとも三箇所に形成されている請求項１、２又は３記載の内視鏡の配管接続部。
【請求項５】
上記チューブ押さえ環の後半部分の内周部に、上記接続管の外周テーパ面との間に上記可撓性チューブを挟み付けるように後方へ次第に内径寸法が小さくなる内周テーパ面が形成されている請求項１、２、３又は４記載の内視鏡の配管接続部。
【請求項６】
上記チューブ押さえ環の内周テーパ面が、内方へ凸状の曲面に形成されている請求項５記載の内視鏡の配管接続部。
【発明の詳細な説明】
【技術分野】
【０００１】
この発明は内視鏡の配管接続部に関する。
【背景技術】
【０００２】
内視鏡内には、送気送水用や吸引用或いは処置具挿通チャンネル用等各種の可撓性チューブが配管されていて、操作部内やライトガイドコネクタ内等においてそれら可撓性チューブの端部が金属製の接続管に接続固定されている。
【０００３】
そのような接続管の先端部分の外周面には先側へ次第に外径寸法が小さくなる外周テーパ面が形成されており、その外周テーパ面に可撓性チューブの端部を被嵌して外側から押圧固定するためのチューブ押さえ環が接続管に螺合固定されている（例えば、特許文献１）。
【特許文献１】実登２５２５４９１
【発明の開示】
【発明が解決しようとする課題】
【０００４】
しかし、上述のように可撓性チューブを押圧固定するためのチューブ押さえ環が接続管に螺合固定された構造では、組み立て時に、配管類の間に埋もれた狭いスペースの中で小さなチューブ押さえ環を何回転もさせて最後にきつく締め付ける必要がある。
【０００５】
そのため、作業が非常に煩雑になると同時に、チューブ押さえ環を回転させるためのピンセット等の工具で可撓性チューブを傷付けて、それまでに組み立てられたユニットが不良品になってしまう場合がある。
【０００６】
そこで、チューブ押さえ環を接続管側に螺合させず単に接着固定する構造のものもあるが、それでは固定強度が不十分になったり、接着剤が固まるまでの間にチューブ押さえ環が動いたりして、接続部から漏れが発生する場合がある。
【０００７】
そこで本発明は、内視鏡内に配管された可撓性チューブを、狭いスペースの中でも接続管に対して容易かつ確実に接続固定することができる内視鏡の配管接続部を提供することを目的とする。
【課題を解決するための手段】
【０００８】
上記の目的を達成するため、本発明の内視鏡の配管接続部は、内視鏡内に配管された可撓性チューブの端部と金属製の接続管とを接続するための内視鏡の配管接続部であって、接続管の先端部分の外周面に先側へ次第に外径寸法が小さくなる外周テーパ面が形成され、その外周テーパ面に可撓性チューブの端部を被嵌して外側から押圧固定するためのチューブ押さえ環が接続管に係止された構造の内視鏡の配管接続部において、接続管の外周テーパ面の基部付近に突起を形成し、可撓性チューブと接続管との接続部に可撓性チューブ側から被嵌されるチューブ押さえ環の先端側半部に、先端に達する複数のスリットを軸線と平行方向に形成すると共に、チューブ押さえ環の先端部分の内周部に、チューブ押さえ環の先端側半部を弾性変形させることにより接続管の突起を乗り越えて突起の裏面部に当接する小径部を形成したものである。
【０００９】
なお、接続管に形成された突起の高さ寸法が、可撓性チューブの肉厚寸法より大きくて可撓性チューブの肉厚寸法の２倍以下の寸法であるとよく、突起が接続管の外周面の全周に連続的に形成されていてもよい。また、複数のスリットは、等間隔に少なくとも三箇所に形成されていればよい。
【００１０】
また、チューブ押さえ環の後半部分の内周部に、接続管の外周テーパ面との間に可撓性チューブを挟み付けるように後方へ次第に内径寸法が小さくなる内周テーパ面が形成されているとよく、その内周テーパ面が、内方へ凸状の曲面に形成されていてもよい。
【発明の効果】
【００１１】
本発明によれば、チューブ押さえ環を可撓性チューブ側から接続管側にスライドさせていくだけで、スリットで分割されているチューブ押さえ環の先端側半部が弾性変形しながら、その先端部分の内周部に形成されている小径部が接続管の外周面に形成されている突起を乗り越えて突起の裏面部に当接する状態になることにより、可撓性チューブと接続管との接続状態がチューブ押さえ環により固定された状態になって、チューブ押さえ環がその状態から動かないようになるので、内視鏡内に配管された可撓性チューブを、狭いスペースの中でも接続管に対して容易かつ確実に接続固定することができる。
【発明を実施するための最良の形態】
【００１２】
接続管の外周テーパ面の基部付近に突起を形成し、可撓性チューブと接続管との接続部に可撓性チューブ側から被嵌されるチューブ押さえ環の先端側半部に、先端に達する複数のスリットを軸線と平行方向に形成すると共に、チューブ押さえ環の先端部分の内周部に、チューブ押さえ環の先端側半部を弾性変形させることにより接続管の突起を乗り越えて突起の裏面部に当接する小径部を形成する。
【実施例】
【００１３】
図面を参照して本発明の実施例を説明する。
図２において、１は内視鏡の操作部、２は挿入部、３は図示されていないライトガイドコネクタが先端に取り付けられている連結可撓管であり、操作部１には送気送水操作弁４や吸引操作弁５等が配置されている。
【００１４】
１１〜１６は、内視鏡内に配管されている可撓性チューブであり、１１と１２は、ライトガイドコネクタ側から空気と水が送られてくる給気チューブと給水チューブ、１３と１４は、挿入部２の先端側に空気と水を送り出すための送気チューブと送水チューブであり、各々の端部が送気送水操作弁４から突設された金属製の接続管１７に接続され、その接続部にチューブ押さえ環１８が取り付けられている。
【００１５】
また、１５はライトガイドコネクタ側から吸引が行われる吸引チューブ、１６は、挿入部２内の処置具挿通チャンネルに通じる連通チューブであり、各々の端部が吸引操作弁５から突設された金属製の接続管１７に接続され、その接続部にチューブ押さえ環１８が取り付けられている。
【００１６】
図１は、各可撓性チューブ１１〜１６と接続管１７との接続部を示しており、可撓性チューブ１１〜１６は、例えば四フッ化エチレン樹脂チューブ又はポリエチレンチューブ等のような可撓性を有する合成樹脂チューブ材により形成され、接続管１７は例えばステンレス鋼管等のような金属材によって形成されている。
【００１７】
接続管１７の先端部分には、先側へ次第に外径寸法が小さくなるテーパ面（外周テーパ面）１７１が先端付近に形成され、その基部付近には、全周にわたって突起１７２が突出形成されている。
【００１８】
なお、突起１７２の高さ寸法は、そこに接続される可撓性チューブ１１〜１６の肉厚寸法以下では組み立てが困難になり、可撓性チューブ１１〜１６の肉厚寸法の２倍を越えると嵩張りすぎるので、そこに接続される可撓性チューブ１１〜１６の肉厚寸法より大きくて可撓性チューブ１１〜１６の肉厚寸法の２倍以下程度であるのが望ましい。
【００１９】
１８は、接続管１７の外周テーパ面１７１に被嵌された可撓性チューブ１１〜１６の端部近傍部分を外側から押圧固定するための略円筒状のチューブ押さえ環であり、ステンレス鋼又は黄銅のような金属材によって形成されている。
【００２０】
チューブ押さえ環１８は、可撓性チューブ１１〜１６と接続管１７との接続部に可撓性チューブ１１〜１６側から被嵌され、その後半部分の内周部には、接続管１７の外周テーパ面１７１との間に可撓性チューブ１１〜１６を挟み付けるように後方へ次第に内径寸法が小さくなるテーパ面（内周テーパ面）１８１が形成されている。
【００２１】
また、チューブ押さえ環１８の先端部分の内周部には、接続管１７の突起１７２を乗り越えて突起１７２の裏面部に当接する小径部１８２が形成されていて、チューブ押さえ環１８を弾性変形させて小径部１８２が突起１７２を乗り越えることができるように、チューブ押さえ環１８の先端側半部には、先端に達する複数のスリット１８３が軸線と平行方向に形成されている。なお、この実施例ではスリット１８３が等間隔で９０°おきに４箇所に形成されているが、少なくとも三箇所に形成されていればよい。
【００２２】
このように構成された実施例の内視鏡の配管接続部の組み立て時には、チューブ押さえ環１８を被嵌する前に、まず接続管１７の外周テーパ面１７１に可撓性チューブ１１〜１６の端部を被嵌して、図３に示されるように、チューブ押さえ環１８を可撓性チューブ１１〜１６側から接続管１７側に被嵌していく。
【００２３】
すると、図４に示されるように、チューブ押さえ環１８の小径部１８２が接続管１７の突起１７２を乗り越える際に、スリット１８３で分割されているチューブ押さえ環１８の先端側寄りの部分が広がり方向に弾性変形する。
【００２４】
そして、接続管１７の外周テーパ面１７１とチューブ押さえ環１８の内周テーパ面１８１との間に可撓性チューブ１１〜１６がきつく挟み付けられた状態になったときに、チューブ押さえ環１８の小径部１８２が突起１７２を乗り越えてチューブ押さえ環１８が自己の弾性により元の形状に復帰し、図１に示されるように、チューブ押さえ環１８の小径部１８２が接続管１７の突起１７２の裏面部に当接する状態になって、チューブ押さえ環１８が接続管１７から外れない状態で可撓性チューブ１１〜１６を押圧固定した状態になる。
【００２５】
このように、チューブ押さえ環１８を可撓性チューブ１１〜１６側から接続管１７側にスライドさせていくだけで、可撓性チューブ１１〜１６と接続管１７との接続状態がチューブ押さえ環１８により固定された状態になり、チューブ押さえ環１８自身もその状態から解除されなくなる。
【００２６】
なお、本発明は上記実施例に限定されるものではなく、例えば図５に示されるように、チューブ押さえ環１８の内周テーパ面１８１は内方へ凸状の曲面に形成してもよく、接続管１７の外周面の突起１７２は周方向に不連続に形成してもよい。
【図面の簡単な説明】
【００２７】
【図１】本発明の第１の実施例の内視鏡の配管接続部の側面断面図である。
【図２】本発明の第１の実施例の内視鏡の操作部付近の配管略示図である。
【図３】本発明の第１の実施例の内視鏡の配管接続部の組立工程の途中の状態の斜視図である。
【図４】本発明の第１の実施例の内視鏡の配管接続部の組立工程の途中の状態の側面断面図である。
【図５】本発明の第２の実施例の内視鏡の配管接続部の側面断面図である。
【符号の説明】
【００２８】
１  操作部
１１〜１６  可撓性チューブ
１７  接続管
１８  チューブ押さえ環
１７１  外周テーパ面
１７２  突起
１８１  内周テ−パ面
１８２  小径部
１８３  スリット
【図１】
2006006761.tif 000003
【図２】
2006006761.tif 000004
【図３】
2006006761.tif 000005
【図４】
2006006761.tif 000006
【図５】
2006006761.tif 000007